(57)【要約】      （修正有）【課題】マイクロレンズフォーカスモジュールのフレームカバー構造を提供する。【解決手段】レンズフォーカスモジュールのフレームカバー構造は、そのフレームカバー６０の上面外縁部分に内向きに縮小され上向きに延伸された二層の階段状構造６１を設け、弾性素子５０が直接がフレームカバー６０内の最外縁の最上端に組み合わされるようにし、並びにフレームカバー６０の上面とレンズ移動の活動空間を保持するようにした。これにより周知の技術より一つのパッキングを節約し、モジュールの製造コストと組立工程を減らした。【選択図】図５
0003188026.tif 000002
【実用新案登録請求の範囲】
【請求項１】
レンズフォーカスモジュールのフレームカバー構造において、該レンズフォーカスモジュールは、
フレームであって、立方中空構造を呈し、四周の垂直面の中空部分に四つの磁性素子が収容された、上記フレームと、
載置シートであって、中空軸孔構造を呈し、軸孔内にマイクロレンズを載置する、上記載置シートと、
少なくとも一つの弾性素子であり、外側固定部と内側可動部を有し、中心中空部分が該載置シートの軸孔に対応する、上記少なくとも一つの弾性素子と、
フレームカバーであって、その上面外縁部分に内縮し及び上向きに延伸された二層の階段状構造が設けられて、これにより該弾性素子が直接該フレームカバー内の最上端部分に組み合わされ、並びに該フレームカバーの上面とレンズ移動の活動空間を保持する、上記フレームカバーと、
を包含することを特徴とする、レンズフォーカスモジュールのフレームカバー構造。
【請求項２】
請求項１記載のレンズフォーカスモジュールのフレームカバー構造において、該弾性素子の外側固定部は、該フレームカバーの最外縁の最上端部分に固定されることを特徴とする、レンズフォーカスモジュールのフレームカバー構造。
【請求項３】
請求項１記載のレンズフォーカスモジュールのフレームカバー構造において、該弾性素子の内側可動部は該載置シートに接続され、該載置シートを該フレームの中心に弾性可動支持し、該載置シートを該活動空間内で上下移動可能とし、オートフォーカスを実行することを特徴とする、レンズフォーカスモジュールのフレームカバー構造。
【請求項４】
請求項１記載のレンズフォーカスモジュールのフレームカバー構造において、該フレームカバーは金属材質とされて全体のレンズフォーカスモジュールを被覆保護し、電磁干渉を防止し及び静電保護することを特徴とする、レンズフォーカスモジュールのフレームカバー構造。
【請求項５】
請求項１記載のレンズフォーカスモジュールのフレームカバー構造において、さらにボトムカバーが該フレームカバーの底部に組み合わされたことを特徴とする、レンズフォーカスモジュールのフレームカバー構造。
【考案の詳細な説明】
【技術分野】
【０００１】
本考案は一種のマイクロレンズフォーカスモジュールのフレームカバー構造に係り、特にマイクロレンズオートフォーカスモジュール中、フレームカバーの二層構造を利用することで、内部弾性素子と上面にレンズが移動可能な活動空間を保持したものに関する。
【背景技術】
【０００２】
科学技術の進歩により、デジタルカメラの体積は相当小さく縮小され、現在多くの小型電子装置、例えば携帯電話は、ほぼデジタル撮影の機能がビルトインされ、これらはいずれも撮像レンズのモジュール化及びマイクロ化による。マイクロレンズ内に設けられる多種類のオートフォーカス駆動構造のうち、現在、もっとも普及しているのはボイスコイルモータ（ＶＣＭ）であり、それは体積が小さく、使用電力が少なく、移動が正確で価格が低廉である等の長所により、マイクロタイプのレンズオートフォーカスの短距離駆動に適合する。
【０００３】
図１は周知のＶＣＭレンズオートフォーカスモジュールの局部立体分解図である。サポートフレームで補償運動することで、振動過程中にもたらされる画像のぼけの影響を打ち消す。或いは、レンズに機械式構造が設置されて手ブレを除去する。或いは二つのジャイロセンサ（Ｇｙｒｏ  Ｓｅｎｓｏｒ）を採用することで、成像素子の水平と垂直振動を検出し、並びに磁力の駆動を利用して動作素子の補償を行う。
【０００４】
図１は周知のＶＣＭレンズオートフォーカスモジュールの局部立体分解図、図２は図１の組合せ後の立体図、図３は図２のＡ−Ａ断面図である。この周知のＶＣＭレンズオートフォーカスモジュールにはカバー１が設けられ、該カバー１内に上弾性片２が設けられ、該上弾性片２に外側固定部と内側可動部が設けられ、該内側可動部はレンズ搭載シートに連動し、該レンズ搭載シート内にはレンズが搭載されている。
【０００５】
該カバー１と該上弾性片２の間には、レンズが距離移動可能な活動空間があり、これにより、該カバー１と該上弾性片２の間にはパッキング３が設けられて、該上弾性片２の外側固定部を固定するのに用いられ、並びに該上弾性片２と該カバー１の間に形成された活動空間により、該レンズが上下に移動してオートフォーカスできるようにする。
【０００６】
しかし、周知の構造はパッキング３が設けられたために、コストアップするほか、組立上、一つの工程が多くなり、組立の負担を増す。これにより、本考案者はパッキングを節約するため、研究を重ね、フレームカバーの上端構造を変更することにより該上弾性片２を固定し、並びにレンズの距離移動の活動空間を形成し、モジュールのコストと組立工程を減らす。
【考案の概要】
【考案が解決しようとする課題】
【０００７】
本考案の主要な目的は、一種のレンズフォーカスモジュールのフレームカバー構造を提供することにあり、それは、周知の技術より一つのパッキングが節約され、モジュールの製造コストと組立工程が減らされたものとする。
【課題を解決するための手段】
【０００８】
上述の目的を達成するため、本考案のレンズフォーカスモジュールのフレームカバー構造は、そのフレームカバーの上面外縁部分に内向きに縮小され上向きに延伸された二層の階段状構造を設け、弾性素子が直接がフレームカバー内の最外縁の最上端に組み合わされるようにし、並びにフレームカバーの上面とレンズ移動の活動空間を保持するようにした。
【考案の効果】
【０００９】
本考案のレンズフォーカスモジュールのフレームカバー構造は、周知の技術より一つのパッキングが節約され、モジュールの製造コストと組立工程が減らされる。
【図面の簡単な説明】
【００１０】
【図１】周知のＶＣＭレンズオートフォーカスモジュールの局部立体分解図である。
【図２】図１の組合せ後の立体図である。
【図３】図２のＡ−Ａ断面図である。
【図４】本考案の実施例の立体分解図である。
【図５】本考案のフレームカバーの実施例の立体図である。
【図６】図５のＢ−Ｂ断面図である。
【考案を実施するための形態】
【００１１】
本考案の技術内容、構造特徴、達成する目的を詳細に説明するため、以下に実施例を挙げ並びに図面を組み合わせて説明する。
【００１２】
図４を参照されたい。図４は本考案のマイクロレンズフォーカスモジュールのフレームカバー構造の実施例の立体分解図である。本考案のマイクロレンズフォーカスモジュールのフレームカバー構造は、載置シート１０、コイル素子２０、フレーム３０、四つの磁性素子４０、少なくとも一つの弾性素子５０、フレームカバー６０、及びレンズ８０を包含する。
【００１３】
該載置シート１０は、該レンズ８０を載置するのに用いられ、中心部分に貫通軸孔構造が設けられ、且つ軸孔の内周面に雌ねじが配設され、レンズ８０外部の雄ねじと螺合されることで、該レンズ８０が該載置シート１０の中空軸孔内に固定される。該載置シート１０の外部は該コイル素子２０で被覆されている。
【００１４】
該フレーム３０は立方中空構造を呈し、四周の垂直面の中空部分に四つの磁性素子４０例えば磁石が収容され、該載置シート１０は該フレーム３０の中空構造の中心部分に収容され、該載置シート１０はフレーム３０内で光線進入方向の直線性移動のみ行える。
【００１５】
図５を参照されたい。図５は本考案のフレームカバーの実施例の立体図である。図６は図５のＢ−Ｂ断面図である。該フレームカバー６０の上面外縁部分に、内縮し上向きに延伸された二層の階段状構造６１が設けられ、これにより該弾性素子５０が直接該フレームカバー６０内の最上端部分に組み合わされ、並びにフレームカバー６０の上面とレンズ移動の活動空間を保持する。
【００１６】
好ましくは、該フレームカバー６０は金属材質とされて、全体のレンズフォーカスモジュールを被覆保護し、電磁干渉を防止すると共に、静電保護に用いられる。
【符号の説明】
【００１７】
１  カバー
２  上弾性片
３  パッキング
１０  載置シート
２０  コイル素子
３０  フレーム
４０  磁性素子
５０  弾性素子
６０  フレームカバー
６１  階段状構造
７０  ボトムカバー
８０  レンズ
【図１】
0003188026.tif 000003
【図２】
0003188026.tif 000004
【図３】
0003188026.tif 000005
【図４】
0003188026.tif 000006
【図５】
0003188026.tif 000007
【図６】
0003188026.tif 000008